(57)【特許請求の範囲】
【請求項１】
木質部と、該木質部を固定的に保持する長尺の保持部材とから構成され、鍵盤装置に取り付けられたとき、押鍵操作により回動する鍵として機能する鍵構造体であって、
前記保持部材は、後部と、該後部から奏者側方向に延設され該後部よりも高さ方向において薄い薄板部とからなり、
前記木質部は、前記保持部材の前記後部より奏者側において前記薄板部に固定され、
前記保持部材の前記後部から、リブが鉛直方向及び奏者側方向に延在するように設けられると共に、前記木質部に、前記リブに嵌合的な凹部が形成され、前記保持部材に前記木質部が固定的に保持されるとき、前記木質部の前記凹部に前記保持部材の前記リブが収容されることを特徴とする鍵構造体。
【請求項２】
前記木質部は、前記保持部材の前記後部との間に前記保持部材の長手方向の成分を含む間隙を保って配置され、前記リブは、少なくとも前記間隙部分を繋ぐように設けられていることを特徴とする請求項１記載の鍵構造体。
【請求項３】
前記リブは、鉛直方向に略平行であることを特徴とする請求項１または２記載の鍵構造体。
【請求項４】
前記リブは、奏者側方向に略平行であることを特徴とする請求項１〜３のいずれか１項に記載の鍵構造体。
【請求項５】
前記リブは、後方にいくにつれてその鉛直方向の高さが増していることを特徴とする請求項１〜４のいずれか１項に記載の鍵構造体。
【請求項６】
前記リブは、後方にいくにつれてその鍵幅方向の厚みが増していることを特徴とする請求項１または２記載の鍵構造体。
【請求項７】
前記リブは、前記保持部材に近いほどその鍵幅方向の厚みが増していることを特徴とする請求項１または２記載の鍵構造体。
【発明の詳細な説明】
【技術分野】
【０００１】
本発明は、木質部を有する鍵に適用される鍵構造体に関する。
【背景技術】
【０００２】
従来、下記特許文献１、２のように、押鍵操作により回動する鍵として機能する鍵構造体に木材等を採用したものが知られている。このような木質系の鍵構造体では、少なくとも、演奏時及び非演奏時に外観となって視認されるいわゆる「見えがかり部位」に木質系材を配することで、木質感が付与され、高級感が得られる。
【０００３】
また、木質系の鍵構造体では、木質部は、例えば、演奏操作面を含んだ上板部材の下面や、下板部材である鍵ベース体の上面に接着等で固定されて保持される。上板部材や鍵ベース体等の保持部材は鍵形状に対応して長尺で、これら保持部材と木質部とで鍵構造体が構成される。
【０００４】
ところで、木材は、合成樹脂のように金型成形で精度よく形状を作るというようなことができないことから、主に切削加工によって所望の形状が作り出される。例えば、鍵盤装置の鍵と同じ所定の幅に鍵構造体の幅を合わせるべく、木質部を含んだ両側部の加工が必要となる。その際、一般に、長手方向における各位置間で幅を均一にするために、回転工具等の切削工具を長手方向に移動させて切削加工することで、幅加工が行われる。
【先行技術文献】
【特許文献】
【０００５】
【特許文献１】実登第２５１４４８５号公報
【特許文献２】特許第２９０３９５９号公報
【発明の概要】
【発明が解決しようとする課題】
【０００６】
しかしながら、木質部と保持部材との接合部の形状によっては、鍵構造体自体の剛性が低く、あるいは長手方向における剛性が位置によって異なり、弱い部分に応力が集中して変形、損傷の原因になるというおそれがある。例えば、長手方向における木質部と保持部材との寸法ばらつきを吸収するべく、両者間に、長手方向の成分を含む適当な間隙を設けた場合は、その間隙部分が最も低剛性の箇所になり得る。このような剛性の不連続性を有する場合は、鍵としての剛性も低くなり、好ましくない。その一方、鍵及び鍵盤装置の小型、軽量化の要請は常にある。
【０００７】
本発明の目的は、木質感を付与すると共に、長手方向において、鍵構造体の小型化を図りつつ剛性の向上及び平滑化を図ることができる鍵構造体を提供することにある。
【課題を解決するための手段】
【０００８】
上記目的を達成するために本発明の請求項１の鍵構造体は、木質部と、該木質部を固定的に保持する長尺の保持部材とから構成され、鍵盤装置に取り付けられたとき、押鍵操作により回動する鍵として機能する鍵構造体（６００、７００、８００）であって、前記保持部材は、後部と、該後部から奏者側方向に延設され該後部よりも高さ方向において薄い薄板部とからなり、前記木質部は、前記保持部材の前記後部より奏者側において前記薄板部に固定され、前記保持部材の前記後部から、リブ（１１２、１１７、２１７）が鉛直方向及び奏者側方向に延在するように設けられると共に、前記木質部に、前記リブに嵌合的な凹部（１１３、１１８、２１８）が形成され、前記保持部材に前記木質部が固定的に保持されるとき、前記木質部の前記凹部に前記保持部材の前記リブが収容されることを特徴とする。
【０００９】
この構成によれば、木質部により木質感が付与される。また、保持部材のリブにより、
長手方向における保持部材の剛性が向上し及び平滑化される。さらに、木質部の凹部にリ
ブが収容されるので、木質部にリブが収容されない構成に比し、主に長手方向における省
スペースが図られる。
【００１０】
好ましくは、前記木質部は、前記保持部材の前記後部との間に前記保持部材の長手方向の成分を含む間隙（ＣＬ１、ＣＬ３、ＣＬ５）を保って配置され、前記リブは、少なくとも前記間隙部分を繋ぐように設けられている（請求項２）。
【００１１】
この構成によれば、鍵構造体の最も弱い部分が効果的に補強される。
【００１２】
ここで、好ましくは、前記リブは、後方にいくにつれてその鉛直方向の厚み及び鍵幅方向の厚みの少なくとも一方が増している。この構成によれば、長手方向における応力を分散させて、鍵構造体の剛性の一層の平滑化を図ることができる。また、後方にいくにつれて鍵幅方向の厚みを厚くした場合、捩れ剛性を高めて耐ローリング性を高めることができる。リブの形状は、例えば、平面視で鍵後方に下辺を有する台形形状、側面視でリブ下端／上端が後方にいくにつれて下方／上方に傾斜する形状に形成される。さらに、木質部の凹部を最小限として、凹部の加工量を少なくすることができる。
【００１３】
さらに好ましくは、前記リブは、前記保持部材に近いほどその鍵幅方向の厚みが増している。この構成によれば、ローリング方向の負荷による歪みが特定箇所に集中することを回避でき、耐ローリング性についても平滑化を図ることができる。
【００１４】
さらに好ましくは、前記保持部材は、演奏操作面となる天面を含み前記木質部の上部に配置される上板部と前記木質部を下方から保持する鍵ベース体とから構成され、前記リブは、前記鍵ベース体から延設され且つ前記上板部に繋がらないように設けられる。この構成によれば、リブが上板部に接続している場合に比し、リブの根本にできるひけは、天面に生じることなく鍵ベース体の下面に生じるので、見えがかり部にひけが生じないようにして外観を損なわないようにすることができる。
【発明の効果】
【００１５】
本発明の請求項１に係る鍵構造体によれば、木質感を付与すると共に、長手方向において、鍵構造体の小型化を図りつつ剛性の向上及び平滑化を図ることができる。
【図面の簡単な説明】
【００１７】
【図１】本発明の第１の実施の形態に係る鍵構造体の平面図（図（ａ））、右側面図（図（ｂ））及び底面図（図（ｃ））である。
【図２】本発明の第２の実施の形態に係る鍵構造体の側面図（図（ａ））及び底面図（図（ｂ））である。
【図３】本発明の第３の実施の形態に係る鍵構造体の後部の斜視図（図（ａ））、側面図（図（ｂ））及び平面図（図（ｃ））である。
【発明を実施するための形態】
【００１８】
以下、本発明の実施の形態を図面を参照して説明する。
【００１９】
（第１の実施の形態）
図１（ａ）は、本発明の第１の実施の形態に係る鍵構造体の平面図である。同図（ｂ）は、同鍵構造体の右側面図、同図（ｃ）は同鍵構造体の底面図である。
【００２０】
本実施の形態では、一例として、鍵構造体６００が、Ｂ鍵（音高Ｂ用の白鍵）に適用された構成を示す。なお、鍵構造体６００は、白鍵だけでなく、黒鍵にも適用してもよい。以降、鍵構造体６００の奏者側を前方と呼称し、奏者側からみた右側を右方と呼称する。
【００２１】
鍵構造体６００は、合成樹脂で構成される上板体１１０と木製の木質部１１１とから構成される。図１（ａ）に示すように、上板体１１０は、後端部１１０Ｂを除き、平面視でＢ鍵とほぼ同じ形状に長尺に形成される。鍵構造体６００は、上板体１１０の後端部１１０Ｂの回動支点１１９（図１（ｂ）参照）を中心として先端部が上下方向に回動自在になっている。
【００２２】
木質部１１１は、上板体１１０の後端部１１０Ｂの前方部分とほぼ同じ長さを有し、上板体１１０の後端部１１０Ｂの前方における上板体１１０の下面に接着固定されて、後端部１１０Ｂとの間に、長手方向における間隙ＣＬ１が生じている。この間隙ＣＬ１は、主として、長手方向における木質部１１１と上板体１１０との寸法ばらつきを吸収するため、及び、環境変化に起因する木質部１１１の伸縮、変形による木質部１１１と上板体１１０との固定状態の悪化を防止するために設けられる。
【００２３】
木質部１１１は、鍵構造体６００に木質感を付与する役割を果たす。すなわち、隣接する鍵の押鍵時には、鍵構造体６００の側面の一部が奏者から見えるが、木製の木質部１１１を側面の一部として視認されるように配したことから、奏者にとっては、鍵構造体６００が上面や前面を除いて木材で構成されているかのように見える。これにより、鍵構造体６００に木質感が付与され、高級感が与えられる。
【００２４】
図１（ａ）に示すように、長手方向において、鍵構造体６００の、木質部１１１の後端より後方の領域ＡＲ１には、上板体１１０の後端部１１０Ｂが含まれるが木質部１１１が全く存在しない。上板体１１０の奏者側端部の幅広部を除く両側部１１０ｃ、１１０ｄのうち、領域ＡＲ１の略全域である領域ＡＲ２部分には、木質部１１１の最小幅部１１１Ｍの両側部１１１ａ、１１１ｂ（図１（ｃ）参照）に対して幅方向内側に逃げる逃げ部１１０ａ、１１０ｂが形成されている。従って、木質部１１１の最小幅部１１１Ｍの幅Ｗ１よりも、領域ＡＲ２部分の上板体１１０の幅Ｊ１の方が、狭くなっている。上述したように、上板体１１０は金型で一体成形されることから、逃げ部１１０ａ、１１０ｂも金型成形で形成される。
【００２５】
一方、木質部１１１の最小幅部１１１Ｍは、切削加工により形成される。すなわち、加工前において、木質部１１１の幅は、予め、規定の幅よりも大きく設定される。例えば、木質部１１１の奏者側端部の幅広部に合わせて後部まで同じ幅とされる。そして、上板体１１０に木質部１１１を接着固定した後、鍵盤装置のＢ鍵と同じ幅に合わせるべく、木質部１１１の最小幅部１１１Ｍを加工する。この幅加工は、例えば、回転工具等の切削工具を長手方向に移動させて切削加工することで行われる。
【００２６】
その際、上記のように、上板体１１０の後端部１１０Ｂには逃げ部１１０ａ、１１０ｂが形成されているので、切削工具の刃が逃げ部１１０ａ、１１０ｂに干渉することが回避される。すなわち、後端部１１０Ｂは、側面視で合成樹脂部分が広く占めるが、加工は、木質部１１１に適した加工条件（送り、切削速度等の切削条件）で行われるということだけでなく、通常、木質部１１１の存在する領域をクランプし、後端部１１０Ｂをクランプすることなく加工がなされる。
【００２７】
従って、仮に逃げ部１１０ａ、１１０ｂを設けないとすると、後端部１１０Ｂでの樹脂加工は極めて悪い条件でなされることになる。よって、逃げ部１１０ａ、１１０ｂを設けたことで、領域ＡＲ２における後端部１１０Ｂの割れや欠け等の損傷が防止される。また、後端部１１０Ｂは、演奏時に外観となって見える見えがかり部ではないので、外観に影響を与えなくて済む。なお、逃げ部１１０ａ、１１０ｂを設ける領域は、木質部１１１が存在しない領域ＡＲ１の全域、あるいは該全域を超える領域としてもよい。
【００２８】
ところで、図１（ｂ）、（ｃ）に示すように、上板体１１０には、平面視三角形のリブ１１２が一体に設けられている。リブ１１２は、長手方向及び鉛直方向の双方に略平行に形成され、上板体１１０の後端部１１０Ｂから、奏者側及び木質部１１１側の方向に向かって延設されている。リブ１１２は、後方にいくにつれて鉛直方向の厚み（高さ）が厚くなっており、具体的には、リブ１１２の奏者側の下端（斜め前方下方を向く斜辺）が後方にいくにつれて下方に傾斜している。一方、木質部１１１には、リブ１１２に対応して、リブ１１２に対して嵌合的な幅を有する溝部１１３が形成されている。リブ１１２は、上板体１１０に木質部１１１を接着固定する際に、溝部１１３に嵌合的に収容される。また、そのとき、溝部１１３とリブ１１２の傾斜した奏者側の下端との間には、間隙ＣＬ２が形成されるようになっている。間隙ＣＬ２の意義は、間隙ＣＬ１と同様である。
【００２９】
本実施の形態によれば、鍵操作時において、奏者から木質部１１１が鍵の側部の一部として視認されるので、木質感による高級感が得られる。また、木質部１１１が存在しない領域ＡＲ１の略全領域ＡＲ２において、上板体１１０の後端部１１０Ｂに、逃げ部１１０ａ、１１０ｂを設けたので、木質部１１１を幅加工する際に、切削工具の刃が後端部１１０Ｂに干渉することを回避して、上板体１１０の損傷を防止することができる。
【００３０】
本実施の形態によればまた、上板体１１０にリブ１１２を設けたので、上板体１１０自体の剛性が向上し及び平滑化されるだけでなく、リブ１１２は、間隙ＣＬ１部分を繋ぐように設けられて、鍵構造体６００の最も弱い部分が効果的に補強されるので、長手方向における鍵構造体６００全体の剛性が向上し及び平滑化される。しかも、リブ１１２は、前部では鉛直方向の厚みが０で、後方にいくにつれて鉛直方向の厚みが徐々に厚くなって後端部１１０Ｂに繋がっているので、押鍵時等に、長手方向における特定箇所に応力が集中することを回避でき、応力分散により鍵構造体６００の剛性の一層の平滑化、ひいては耐久性の向上を図ることができる。さらに、木質部１１１の溝部１１３にリブ１１２が収容されるので、木質部１１１にリブ１１２が収容されない構成に比し、主に長手方向におけるオーバーラップによる省スペースが図られることで、鍵構造体６００の小型化を図ることができる。
【００３１】
ここで、リブ１１２は、平面視三角形状でなく、平面視矩形にすることでも、剛性向上の効果は得られる。しかし、木質部１１１に収容されている領域ではある程度の剛性があり、最も低剛性であるのは間隙ＣＬ１部分である。従って、本実施の形態のように、リブ１１２の鉛直方向厚を間隙ＣＬ１部分で厚くし、木質部１１１では前方に向かって滑らかに薄くしていくことで、長手方向における剛性の不連続的な変化を極力少なくして剛性を平滑化すると共に、木質部１１１の溝部１１３を設ける範囲を最小限で済むようにして、溝加工の量を少なくする観点で有利である。
【００３２】
なお、リブ１１２が鉛直方向に略平行であることについて、「略平行」には、例えば、金型の抜き勾配の１〜１０倍程度の角度（８°以内程度）まで含まれる。
【００３３】
（第２の実施の形態）
第１の実施の形態では、木質部を固定的に保持する保持部材として上板体１１０を例示したが、本発明の第２の実施の形態では、保持部材として鍵ベース体を例示する。
【００３４】
図２（ａ）は、本発明の第２の実施の形態に係る鍵構造体の側面図である。同図（ｂ）は、同鍵構造体の底面図である。
【００３５】
本実施の形態でも、鍵構造体７００が、Ｂ鍵に適用された構成を示す。なお、鍵構造体７００は、白鍵だけでなく、黒鍵にも適用してもよい。以降、鍵構造体７００の奏者側を前方と呼称し、奏者側からみた右側を右方と呼称する。
【００３６】
鍵構造体７００は、いずれも合成樹脂で構成される上板体１１４及び鍵ベース体１１６と、木製の木質部１１５とから構成される。図２（ａ）に示すように、上板体１１４は、鍵後端部に相当する部分が無い点を除き、平面視でＢ鍵とほぼ同じ形状に長尺に形成される。
【００３７】
木質部１１５は、第１の実施の形態における木質部１１１とほぼ同じ長さを有し、上板体１１４の下面に接着固定されると共に、鍵ベース体１１６の後端部１１６Ｂの前方における鍵ベース体１１６の上面に接着固定されて、後端部１１６Ｂとの間に、長手方向の成分を含んだ間隙ＣＬ３が生じている。間隙ＣＬ３の意義は、間隙ＣＬ１（図１（ｂ）参照）と同じである。鍵構造体７００は、鍵ベース体１１６の後端部１１６Ｂの回動支点１１９を中心として先端部が上下方向に回動自在になっている。
【００３８】
図２（ｂ）に示すように、長手方向において、鍵構造体７００の、木質部１１５の後端より後方には木質部１１５が全く存在しない。鍵ベース体１１６は、奏者側端部の幅広部を除いて一様の幅Ｊ２に形成されている。一方、木質部１１５は、奏者側端部の幅広部を除いた部分、すなわち最小幅部１１５Ｍが、一様の幅Ｗ２に形成されている。ここで、Ｗ２＞Ｊ２となっている。従って、鍵ベース体１１６の後端部１１６Ｂに着目すると、幅Ｊ２部分の両側部１１６ｃ、１１６ｄのうち、木質部１１５が存在しない領域ＡＲ３における後端部１１６Ｂの両側部１１６ａ、１１６ｂが、木質部１１５の最小幅部１１５Ｍの両側部１１５ａ、１１５ｂに対して幅方向内側に逃げている。これにより、木質部１１５の幅加工の際には、両側部１１６ａ、１１６ｂが、第１の実施の形態における逃げ部１１０ａ、１１０ｂと同様の役割を果たし、切削工具の刃が後端部１１６Ｂの両側部１１６ａ、１１６ｂに干渉することが回避される。
【００３９】
また、図２（ａ）、（ｂ）に示すように、鍵ベース体１１６には、平面視三角形のリブ１１７が一体に設けられている。リブ１１７は、第１の実施の形態におけるリブ１１２とは上下対称の形状を成すが、その機能を同様である。ただし、リブ１１７は鍵ベース体１１６から延設され、第１の実施の形態のように上板体１１４に接続される構成ではないので、リブ１１７の根本にできるひけは、鍵ベース体１１６の下面に生じるものの、上板体１１４の上面（天面）に生じることがない。従って、演奏時に外観となって見える見えがかり部にひけが生じないようにして外観を損なわないようにすることができる観点では、第１の実施の形態より有利である。
【００４０】
一方、木質部１１５には、リブ１１７に対応して、リブ１１７に対して嵌合的な幅を有する溝部１１８が形成されている。また、溝部１１８とリブ１１７の傾斜した奏者側の上端（斜め前方上方を向く斜辺）との間には、間隙ＣＬ４が形成される。リブ１１７と溝部１１８との嵌合乃至収容関係は、第１の実施の形態におけるリブ１１２と溝部１１３のそれと同様であり、間隙ＣＬ４の意義も間隙ＣＬ２と同様である。
【００４１】
本実施の形態によれば、第１の実施の形態と同様の効果を奏することができるだけでなく、上板体１１４の上面にリブ１１７によるひけが生じないようにして良好な外観を確保することができる。
【００４２】
なお、本実施の形態では、鍵ベース体１１６は、奏者側端部の幅広部を除いて一様の幅Ｊ２に形成されたが、木質部１１５の幅加工時における鍵ベース体１１６の後端部１１６Ｂの損傷防止という観点からは、少なくとも木質部１１５が存在しない領域ＡＲ３の略全域においてのみ、後端部１１６Ｂの幅を木質部１１５の最小幅部１１５Ｍの幅Ｗ２より小さくして、最小幅部１１５Ｍに対して幅方向内側に逃げるように形成すれば十分である。
【００４３】
（第３の実施の形態）
図３（ａ）は、本発明の第３の実施の形態に係る鍵構造体の後部の斜視図である。同図（ｂ）は、同鍵構造体の後部の側面図、同図（ｃ）は、同鍵構造体の後部の平面図である。
【００４４】
上記第２の実施の形態では、リブ１１７が長手方向及び鉛直方向の双方に略平行に薄板状に形成されたのに対して、本発明の第３の実施の形態の鍵構造体８００では、リブ２１７が平面視台形形状に形成される。鍵構造体８００の上板体２１４、木質部２１５、鍵ベース体２１６、鍵ベース体２１６の後端部２１６Ｂ、及び回動支点２１９は、それぞれ、第２の実施の形態の鍵構造体７００における、上板体１１４、木質部１１５、鍵ベース体１１６、鍵ベース体１１６の後端部１１６Ｂ、及び回動支点１１９と、形状が多少異なるのみであり基本的構成は同一である。
【００４５】
図３（ｂ）に示すように、鍵ベース体２１６の後端部２１６Ｂと木質部２１５との間には、長手方向の成分を含んだ間隙ＣＬ５が生じている。間隙ＣＬ５の意義は、間隙ＣＬ３（図２（ａ）参照）と同じである。図３（ｃ）に示すように、リブ２１７は、後方にいくにつれて鍵幅方向（左右方向）の厚みが大きくなっており、平面視で後側の辺を下辺とする台形形状に形成される。なお、平面視において、リブ２１７は、前部に辺を有する必要はなく、前方部分が尖がった三角形状であってもよい。リブ２１７はまた、図３（ｂ）に示すように、側面視でその奏者側の上端（斜め前方上方を向く斜辺）が後方にいくにつれて上方に傾斜し、鉛直方向の厚みが増している。なお、側面視において、リブ２１７は、リブ１１７と同様に前方部分が尖がった三角形状であってもよい。
【００４６】
一方、木質部２１５には、リブ２１７に対応して、リブ２１７が遊嵌され得る凹部２１８が形成されている。また、図３（ｂ）、（ｃ）に示すように、リブ２１７の傾斜した奏者側の上端、前端及び両側面と、凹部２１８との間には、間隙ＣＬ６が形成される。リブ２１７が平面視台形であることから、間隙ＣＬ６は、間隙ＣＬ４と同様の意義を果たすべく、長手方向及び鍵幅方向においても生じている（図３（ｃ）参照）。リブ２１７は凹部２１８に遊びをもって嵌合、収容される。
【００４７】
本実施の形態によれば、第２の実施の形態と同様の効果を奏するだけでなく、リブ２１７の鍵幅方向の厚みを後方にいくにつれて大きくしたことから、鍵構造体８００の捩れ剛性を高めて耐ローリング性を高めることができる。すなわち、特に、Ｂ、Ｃ、Ｅ、Ｆ鍵においては、奏者側である幅広の前半部の鍵幅方向中心と、幅の狭い後半部の鍵幅方向中心とのずれが大きい（左右非対称の度合いが高い）ため、演奏時にローリング方向の大きな負荷がかかりやすい。リブ２１７の、平面視台形形状により生じている、鍵幅方向中心に対する斜め成分は、捩れ負荷に対して効率よく対抗し、ローリングを抑えることができる。
【００４８】
なお、このようにローリングを抑えるという観点からは、上記第１、第２の実施の形態においても、リブ１１２、１１７を、長手方向に平行でなく鍵幅方向中心に対してやや斜めに形成してもよいし、リブ２１７の両側面に相当する角度でリブ１１２、１１７をそれぞれ２本形成してもよい。あるいは、リブ１１２、１１７とは別に斜め成分を有するリブを追加してもよい。
【００４９】
なお、第３の実施の形態では、リブ２１７の両側面は鉛直方向に平行としたが、これに限られず、例えば、金型の抜き勾配の１〜１０倍程度（８°以内程度）の角度を付けて、下方にいくほど鍵幅方向の厚みが増すように構成してもよい。これによれば、ローリング方向の負荷による歪みが特定箇所に集中することを回避でき、耐ローリング性についても平滑化を図ることができる。なお、このような構成を、上記図３の鍵構造体８００に反映させれば、結局、リブ２１７の鍵幅方向の厚みは、鍵ベース体２１６に近いほど増すことになる。
【００５０】
なお、第１〜第３の実施の形態では、木質部を固定的に保持する保持部材として上板体または鍵ベース体を示したが、上板体と鍵ベース体とが一体に形成されて保持部材が構成される場合にも本発明を適用可能である。あるいは、両者が別体で構成され、且つ、鍵構造体の後端部に相当する部分に、両者の後端部が存在し且つ木質部が存在しないような構成である場合は、その両者の後端部を共に、木質部の最小幅部に対して幅方向内側に逃げるように形成すれば、後端部の損傷防止という効果が得られる。
【００５１】
なお、第１〜第３の実施の形態において、木質感付与の観点に限って言えば、木質部は木材でなくても、木質系材であればよく、例えば、木目調の化粧板（印刷、コート、塗装、つき板等も含む）、合板、木質材（ＭＤＦ）等を採用してもよい。
【００５２】
ところで、第２の実施の形態で示した鍵ベース体１１６は、Ｂ鍵用であるとしたが、Ａ鍵、Ｃ鍵、Ｅ鍵及びＧ鍵のいずれかの鍵に適用可能なようにその平面視形状を形成すれば、対応するダッシュキー用の鍵構造体にもそのまま流用することが可能となる。
【００５３】
ここで、ダッシュキーは、１つの鍵盤の白鍵のうち、左右両端に配置され、外側に黒鍵が存在しない鍵である。例えば、８８鍵鍵盤では、最低音高鍵の音高は「Ａ」、最高音高鍵の音高は「Ｃ」である。７６鍵鍵盤では、最低音高鍵の音高は「Ｅ」、最高音高鍵の音高は「Ｇ」である。ここで、例えば、８８鍵鍵盤における左端のダッシュキーである最低音高鍵（Ａ鍵）を例にとると、ダッシュキーでない他のＡ鍵では、左側に隣接する音高「Ｇ＃」の黒鍵に干渉しないように、左側部に逃げが設けられているが、Ａ鍵のダッシュキーでは、そのような逃げを設ける必要がないので、平面視形状が非ダッシュキーに対して異なっている。
【００５４】
しかしながら、ダッシュキーは、平面視において、対応する非ダッシュキーを含んだ形状を有しているので、図２（ｂ）に示すような鍵ベース体１１６の形状、すなわち、鍵ベース体が、平面視で後端部１１６Ｂを除いて上板体１１４及び木質部１１５に隠れるような形状に形成すれば、当該鍵ベース体を、非ダッシュキー用に構成した上板体及び木質部と組み合わせたとしても、外観に表れないため外観上何ら問題ない。しかも、木質部の最小幅部についても、非ダッシュキーの木質部の方が広いため、木質部の幅加工の際に当該鍵ベース体の後端部に加工刃が当たらず、損傷を招くことがない。
【００５５】
このように、音高Ａ、音高Ｃ、音高Ｅ及び音高Ｇのいずれかの音高用で非ダッシュキー用に適用される鍵ベース体を、非ダッシュキー用の上板体及び木質部、またはダッシュキー用の上板体及び木質部の、いずれかと選択的に組み合わせることで、鍵ベース体を、非ダッシュキーとダッシュキーとに共用可能にすることができる。これにより、部品点数を削減することができる。第３の実施の形態における鍵構造体８００の鍵ベース体２１６についても同様である。
【符号の説明】
【００５６】
１１０  上板体  （保持部材）、  １１０Ｂ  後端部、  １１０ａ、１１０ｂ  逃げ部、  １１０ｃ、１１０ｄ  両側部、  １１１、１１５、２１５  木質部、  １１１Ｍ、１１５Ｍ  最小幅部、  １１１ａ、１１１ｂ、１１５ａ、１１５ｂ  両側部（最小幅部の両側部）、  １１２、１１７、２１７  リブ、  １１３、１１８  凹部、  １１４  上板体（上板部）、  １１６、２１６  鍵ベース体（保持部材）、  １１６Ｂ、２１６Ｂ  後端部、  １１６ａ、１１６ｂ  両側部（逃げ部）、  １１６ｃ、１１６ｄ  両側部、  ２１８  凹部、  ＣＬ１、ＣＬ３、ＣＬ５  間隙、  ６００、７００、８００  鍵構造体、  ＡＲ１  領域、  ＡＲ２  領域、  ＡＲ３  領域
【図１】
0004702573.tif 000002
【図２】
0004702573.tif 000003
【図３】
0004702573.tif 000004